(57)【要約】【課題】カラオケ採点結果により飲食代を割勘する電子メニュー注文装置を提供する。【解決手段】制御手段の制御に従い利用者に情報を提示する表示手段と、利用者入力を受け付ける操作入力手段と、料金額を含む注文情報を記憶する記憶手段を備え、客室のカラオケ装置およびＰＯＳ店舗システムと通信可能であり、利用者入力に従ってメニューデータベースにアクセスし、メニューデータベースの各品目情報を表示させて注文入力を受け付け、メニュー表示中にて受付けた品目ＩＤを含む注文電文をＰＯＳ店舗システムに送信するとともに、記憶手段の注文情報を更新し、カラオケ装置と通信して利用者別カラオケ採点成績データを取得し、記憶手段の注文情報に含まれる料金額を利用者ごとのカラオケ採点成績データに基づいて配分した利用者別の割勘金額を算出して表示させるカラオケ客室用電子メニュー注文装置とする。【選択図】図６
2009086231.tif 000002
【特許請求の範囲】
【請求項１】
表示手段と、操作入力手段と、記憶手段と、制御手段を備え、客室のカラオケ装置およびＰＯＳ店舗システムと通信可能なカラオケ客室用電子メニュー注文装置であって、
表示手段は、制御手段の制御に従い利用者に情報を提示し、
操作入力手段は、利用者入力を受け付け、
記憶手段は、料金額を含む注文情報を記憶し、
制御手段は、メニュー処理と、注文受付処理と、割勘表示処理を行ない、
メニュー処理は、利用者入力に従ってメニューデータベースにアクセスし、メニューデータベースの各品目情報を表示させて注文入力を受け付け、
注文受付処理は、メニュー表示中にて受付けた品目ＩＤを含む注文電文をＰＯＳ店舗システムに送信するとともに、記憶手段の注文情報を更新し、
割勘表示処理は、カラオケ装置と通信して利用者別カラオケ採点成績データを取得し、記憶手段の注文情報に含まれる料金額を利用者ごとのカラオケ採点成績データに基づいて配分した利用者別の割勘金額を算出して表示させる
カラオケ客室用電子メニュー注文装置。
【請求項２】
割勘表示処理は、カラオケ装置と通信してカラオケ採点の得点を含む利用者別カラオケ採点成績データを取得し、記憶手段の注文情報に含まれる料金額の配分に際して、得点が高い利用者ほど金額が少なくなるように配分した利用者別の割勘金額を算出して表示させる
請求項１に記載のカラオケ客室用電子メニュー注文装置。
【請求項３】
割勘表示処理は、カラオケ装置と通信してカラオケ採点のランキング順位を含む利用者別カラオケ採点成績データを取得し、記憶手段の注文情報に含まれる料金額の配分に際して、順位が上位である利用者ほど金額が少なくなるように配分した利用者別の割勘金額を算出して表示させる
請求項１に記載のカラオケ客室用電子メニュー注文装置。
【請求項４】
割勘表示処理は、カラオケ装置と通信して利用者別カラオケ採点成績データを取得し、利用者ごとのカラオケ採点成績データに基づいて客室内における相対順位を決定し、記憶手段の注文情報に含まれる料金額の配分に際して、あらかじめ相対順位別に規定された割合で配分した利用者別の割勘金額を算出して表示させる
請求項１に記載のカラオケ客室用電子メニュー注文装置。
【発明の詳細な説明】
【技術分野】
【０００１】
この発明は、たとえばカラオケボックスと称される多数の客室を有するカラオケ集合店舗に装備されるＰＯＳシステムの電子メニュー注文装置に関し、とくに、各客室に配備され、１室での飲食代を各利用者のカラオケ歌唱採点の成績に基づいて割勘した金額を提示するカラオケ客室用電子メニュー注文装置に関する。
【背景技術】
【０００２】
最近のカラオケ店では、分厚いカラオケ目次本に代わり、タブレットコンピュータにより構成された電子目次本装置（ＤＡＭステーション、デンモク、キョクＮＡＶＩ、ナビカラなどの商品名）が普及している。タブレットコンピュータの持つ演算能力・記憶能力・通信能力はきわめて大きいので、この種の電子目次本装置をカラオケに関連したさまざまな用途に供する開発が進められている。とくに、特開２００５−１３４５７０号公報、特開２００５−１３４５７１号公報、特開２００７−１２２６２０号公報などに詳しく開示されているように、このようなタブレットコンピュータを用いて利用者を識別することにより、利用者ごとの利用履歴に基づいてさまざまなサービスを提供できるようになっている。
【０００３】
たとえばカラオケ事業者が、会員として登録した利用者に対して、選曲履歴を記憶しておいたり、演奏時に周知の歌唱採点機能を利用したならばその採点結果を利用者の識別符号に対応付けして記憶しておいたりする。通信カラオケシステムは、そのインフラを利用して、ホスト装置に会員別の記憶領域を用意しておき、通信カラオケ端末が各会員のカラオケ利用履歴をホスト装置に送って該当する会員の領域に格納させる。会員が通信カラオケ端末を利用する際には、その格納情報をホスト装置からダウンロードし、そのダウンロード情報を使用して種々の会員サービスを提供する。例えば、特開２００５−９９２８８号公報に開示されているように、各地の通信カラオケ端末から集信した採点結果を定期的に集計して採点ランキングを作成したり、会員ごとに楽曲の予約回数に応じたポイントを付与したりする。そしてカラオケ事業者は、ホスト装置にて作成・集計されたランキングやポイントに応じて各種特典を会員に提供する。
【０００４】
一方、最近、レストランや居酒屋などにおいて、入店した客にタッチパネルディスプレイつきのタブレットコンピュータを預け、客がメニューを見て商品を選ぶ行為と、選んだ商品をお店に注文する行為とを、客自身が電子メニュー注文装置（客室端末とかオーダー端末などと呼ばれている）を操作して行う方式のセルフオーダーＰＯＳシステムが実用化され、普及しつつある。
【０００５】
本出願人も、電子目次本装置を電子メニュー注文装置としても機能させるセルフオーダーＰＯＳシステムを実用化する開発を行なっており、多数の特許出願も行なっている。例えば、特開２００７−１４８７８０号公報には、利用時間が制限された状況下で、残り時間を考慮して注文を受け付けるシステムを開示している。また、特開２００７−１４８９９８号公報には、数量無制限サービスの対象品目を提示して注文を受け付けるシステムを開示している。
【特許文献１】特開２００５−１３４５７０号公報
【特許文献２】特開２００５−１３４５７１号公報
【特許文献３】特開２００７−１２２６２０号公報
【特許文献４】特開２００５−９９２８８号公報
【特許文献５】特開２００７−１４８７８０号公報
【特許文献６】特開２００７−１４８９９８号公報
【発明の開示】
【発明が解決しようとする課題】
【０００６】
この発明は、カラオケ集合店舗において、各客室に電子メニュー注文装置が備えられていて、利用客が電子メニュー注文装置の電子メニューを見ながら随時に自分で注文操作をする状況を前提とする。グループごとにカラオケボックスで数時間ほど、飲食しながらカラオケを楽しんでいる状況において、飲食は娯楽のメインにはなりづらい。歌唱したり選曲したりする合間に誰かが注文したり、飲食物が目の前にあれば飲食したり、といった程度になりやすい。せっかく便利で娯楽性のある電子メニュー注文装置があっても、カラオケがメインの娯楽であるカラオケ店においては、カラオケと切り離された娯楽は利用客にも受け入れられにくい。
【０００７】
そこで本出願人は、カラオケと飲食とを結びつけることができないかと考え、カラオケの利用履歴に基づいて飲食代を配分することを思いついた。そうすれば、飲食代の負担を軽くしようとしたり、他の人により多く負担させようとしたりして、カラオケ利用にもさらに熱が入って、双方の娯楽性・ゲーム性が増して楽しくなるだろうと考え、本発明を創作した。
【課題を解決するための手段】
【０００８】
この発明に係る電子メニュー注文装置は、つぎの事項（１）〜（８）により特定されるものである。  
（１）表示手段と、操作入力手段と、記憶手段と、制御手段を備え、客室のカラオケ装置およびＰＯＳ店舗システムと通信可能なカラオケ客室用電子メニュー注文装置であること
（２）表示手段は、制御手段の制御に従い利用者に情報を提示すること
（３）操作入力手段は、利用者入力を受け付けること
（４）記憶手段は、料金額を含む注文情報を記憶すること
（５）制御手段は、メニュー処理と、注文受付処理と、割勘表示処理を行なうこと
（６）メニュー処理は、利用者入力に従ってメニューデータベースにアクセスし、メニューデータベースの各品目情報を表示させて注文入力を受け付けること
（７）注文受付処理は、メニュー表示中にて受付けた品目ＩＤを含む注文電文をＰＯＳ店舗システムに送信するとともに、記憶手段の注文情報を更新すること
（８）割勘表示処理は、カラオケ装置と通信して利用者別カラオケ採点成績データを取得し、記憶手段の注文情報に含まれる料金額を利用者ごとのカラオケ採点成績データに基づいて配分した利用者別の割勘金額を算出して表示させること
【０００９】
この発明において、次の事項（ａ）〜（ｃ）のいずれかを選択的に備えることが望ましい。  
（ａ）割勘表示処理は、カラオケ装置と通信してカラオケ採点の得点を含む利用者別カラオケ採点成績データを取得し、記憶手段の注文情報に含まれる料金額の配分に際して、得点が高い利用者ほど金額が少なくなるように配分した利用者別の割勘金額を算出して表示させること
（ｂ）割勘表示処理は、カラオケ装置と通信してカラオケ採点のランキング順位を含む利用者別カラオケ採点成績データを取得し、記憶手段の注文情報に含まれる料金額の配分に際して、順位が上位である利用者ほど金額が少なくなるように配分した利用者別の割勘金額を算出して表示させること
（ｃ）割勘表示処理は、カラオケ装置と通信して利用者別カラオケ採点成績データを取得し、利用者ごとのカラオケ採点成績データに基づいて客室内における相対順位を決定し、記憶手段の注文情報に含まれる料金額の配分に際して、あらかじめ相対順位別に規定された割合で配分した利用者別の割勘金額を算出して表示させること
【発明の効果】
【００１０】
この発明の電子メニュー注文装置によれば、カラオケ採点ゲームで高得点をあげるほど、飲食代の負担率を下げることができるなど、カラオケと飲食が結びついて相乗的に双方の娯楽性が高まる。カラオケに熱が入るだけでなく、自分や他のメンバーの負担率を考慮して次は何をどのくらい注文しようかなどとあれこれ考えながら、飲食することも、電子メニュー注文装置を使用して注文することもゲーム感覚で楽しくなる。その結果、カラオケや飲食、電子メニュー注文装置の利用が増加する効果を期待できる。
【発明を実施するための最良の形態】
【００１１】
＝＝＝システム構成＝＝＝
図１は、複数の客室を備えたカラオケ集合店舗に本発明を適用した場合のシステム構成を例示している。店舗１００に１台設置されたＰＯＳコンピュータ１と、ＰＯＳレジ端末２と、厨房に設置された厨房端末３と、各客室１２０に設置されているタブレットコンピュータからなる客室端末４とを含み、各装置が店舗内ＬＡＮ５に接続されて、飲食物の注文に関わる各種業務を担う周知のＰＯＳシステムが構築されている。厨房端末３はプリンタを付帯している。
【００１２】
また各客室１２０にはカラオケ装置６が設置され、ＬＡＮ５に接続されている。店舗１００内には、各客室１２０のカラオケ装置６と客室端末４と外部のカラオケサーバー７により、周知の通信カラオケシステムが構築されている。
【００１３】
ＰＯＳコンピュータ１は店舗内のＰＯＳシステムを統括している。ハードディスク装置に店舗の客室情報や各種の管理情報を格納し、ＶＰＮ８を介して外部サーバーなどと通信可能であるとともに、ＬＡＮ５を介して店舗内１００の各装置と通信可能に構成される。
【００１４】
客室端末４はこの発明に係る電子メニュー注文装置の核心である。加えて、客室端末４は、カラオケ楽曲を検索したり演奏予約したりする電子目次本装置としても機能するものであり、同室内のカラオケ装置６との通信やＬＡＮ５を介したカラオケサーバー７との通信が可能に構成される。
【００１５】
カラオケサーバー７は、通信カラオケシステムにおけるホスト装置なるコンピュータであり、カラオケ楽曲の起源となるカラオケデータを蓄積したカラオケデータベースのほか、会員として登録された利用者の情報を管理する会員情報データベースなどの各種データベースを備えている。そして、カラオケ装置６や客室端末４は、ＬＡＮ５を介してカラオケサーバー７と通信し、カラオケデータの配信を受けたり、稼働ログを送信したりする。
【００１６】
カラオケサーバーの備える各種データベースのうち、会員情報データベースは、会員登録されている利用者が所持するＩＣカードに固有のＩＣカード番号とした個人ＩＤをキーとして、個人情報や各種履歴情報を対応付けして格納・管理している。とくに本実施例において、履歴情報にはカラオケ装置６にてカラオケ採点ゲームを実施した歌唱者についての採点結果や歌唱曲・歌唱者や歌唱日時などの採点データが含まれ、カラオケ装置６から稼働ログに含めて集信され適宜更新されている。
【００１７】
＝＝＝客室端末４の構成＝＝＝
電子メニュー注文装置としての客室端末４は、周知のタブレットコンピュータの応用機器であって、図２にそのブロック構成を例示しているように、ＣＰＵ・ＲＡＭ・ＲＯＭを含む中央制御部１１の他、ハードディスク装置１２・タッチパネルディスプレイ１３・通信インタフェース１４を備えている。タッチパネルディスプレイ１３の表示部は表示コントローラ１５を介してＣＰＵバスにつながり、操作入力部は入力検出回路１６を介してＣＰＵバスにつながっている。通信インタフェース１４は無線アクセスポイントを介してＬＡＮ５に接続されており、ＰＯＳレジ端末２や厨房端末３などＰＯＳシステムの他の装置と通信する。
【００１８】
ハードディスク装置１２にはメニューデータベースが格納されている。メニューデータベースには、品目ＩＤに対応付けした飲食物の品目情報が集約されている。品目情報としては、品目名・料金・標準配膳時間・主原料・カロリー値・料理分類・画像データ所在などの各種属性を記述したテキスト主体のデータと、飲食物の精細なカラー画像データが含まれる。  
なお、メニューデータベースは、ＰＯＳコンピュータ１や他のサーバー装置に格納・管理して、適宜に客室端末４からＬＡＮ５を介してアクセスして利用する構成もとれる。
【００１９】
＝＝＝電子メニュー注文装置の基本機能＝＝＝
客室端末４の中央制御部１１は、ＲＯＭやハードディスク装置１２に格納されたプログラムを実行することで、タッチパネルディスプレイ１３により客と対話形式の情報交換をし、メニューデータベースから利用者の希望する飲食物の品目情報を検索して提示したり、利用者の注文入力を受け付けたりする電子メニュー処理を行って、受け付けた注文内容を含む注文電文をＰＯＳコンピュータ１や適宜なＰＯＳシステムの装置に送信する、周知の電子メニュー注文装置として機能する。
【００２０】
この際に本実施例ではとくに、受付けた注文内容（品目と数量、金額）を適宜な記憶部に記憶している。入室してから受付けた注文内容を累積的に記憶しており、飲食代の総額がわかるように管理している。そして客室の退室処理がなされた際など、適宜な機会に消去している。
【００２１】
なお、客室端末４から出力された注文電文は、厨房端末３とＰＯＳレジ端末２とＰＯＳコンピュータ１に送信される。受信した注文電文に基づいて、厨房端末３では付帯するプリンタにより客室番号やその品目、個数などの情報を含む受注伝票が印刷出力される。その受注伝票に基づいて店員が料理や配膳の作業を行う。ＰＯＳレジ端末２は、注文電文に基づいて所定形式の精算データにして、客室番号別に蓄積する。客の退室時などにこの蓄積データに基づいて請求伝票を印刷し、料金精算処理を行う。またＰＯＳコンピュータ１は、客室別に受け取った注文電文に基づいて客室別に注文履歴として蓄積し管理する。
【００２２】
＝＝＝電子目次本装置の基本機能＝＝＝
客室端末４は、周知の電子目次本装置としても機能する。たとえば図３に例示したように、客室端末４のトップメニューで、電子メニュー装置として利用するか、電子目次本として利用するかを利用者が指示入力することにより、機能を切り分けることができる。
【００２３】
電子目次本として機能させるために、ハードディスク措置１２には、演奏予約などの操作対象となる同室内のカラオケ装置６の所在情報（ＩＰアドレスなど）や、カラオケ装置６に蓄積されているものと同様のカラオケ楽曲の目次情報が記憶され、カラオケ装置６とＬＡＮ５を介して通信可能に構成される。そして、中央制御部１１がＲＯＭやハードディスク装置１２に格納されたプログラムを実行することで、周知のとおり、タッチパネルディスプレイ１３により客と対話形式の情報交換をし、蓄積された目次情報から利用者の希望する楽曲の目次情報を検索して提示したり、利用者の演奏予約する旨の指示入力を受け付けて演奏予約コマンドを生成しカラオケ装置６に転送したりする。その際にログインした会員による操作入力については、コマンドに会員ＩＤを含めて転送する。
【００２４】
本実施例のシステムにおいて、カラオケ装置６は歌唱採点機能を備え、歌唱採点ゲームを実施できる。歌唱採点ゲームを利用しようとする利用者は、ログインした後、図４に例示した客室端末４の電子目次本としてのトップ画面にて、「歌唱採点」ボタン４１を指示入力して歌唱採点対象とする楽曲を選曲する。そうすると、客室端末４は歌唱採点ゲーム実施の旨および利用者ＩＤをともなった演奏予約コマンドをカラオケ装置６に転送する。
【００２５】
カラオケ装置６にて歌唱採点ゲームを実施した楽曲の演奏が終了してその歌唱採点結果の得点が出力されると、客室端末４はカラオケ装置６から採点結果を受け取って、会員ＩＤに対応付けした採点成績データを適宜な記憶部に一時記憶している。採点成績データは、歌唱日時、歌唱曲の楽曲ＩＤ、採点結果の得点などを含むデータである。そして会員がログアウトした際など、適宜な機会に記憶部から消去する。
【００２６】
＝＝＝割勘表示＝＝＝
本実施例の電子メニュー注文装置は、先述した基本機能に加え、カラオケ装置６が出力したカラオケ採点結果に基づいて、飲食代を各利用者に配分した割勘金額を表示する機能に特徴があるものである。
【００２７】
電子メニュー注文装置として、客室端末４には、たとえば図５に例示したようにトップ画面に「割勘表示」ボタン５１を配設しておき、これが利用者に指示入力されたときに、電子目次本装置としてカラオケ装置から通知され記憶部に記憶している採点成績データを参照するとともに、電子メニュー装置として記憶部に記憶している飲食代総額を参照し、飲食代総額を利用者ごとに配分した額を算出して、ディスプレイ１３にその額を一覧的に表示させる。  
以下に、具体的な割勘金額の算出方法を例示する。図６は下記＜実施例１＞における割勘額の一覧表示画面を例示したものである。
【００２８】
＝＝＝採点成績データと割勘方法＝＝＝
＜実施例１＞
カラオケ装置から通知される採点成績データには、最新の得点情報が含まれる。そして割勘表示処理においては、得点情報に基づいて（楽曲ＩＤは同一でなくてよい）、各利用者の得点比に反比例する比率で飲食代総額を配分する。つまり、Ａさん、Ｂさん、Ｃさんの得点がそれぞれａ点、ｂ点、ｃ点であれば、それぞれの負担額が（１／ａ）対（１／ｂ）対（１／ｃ）になるように、飲食代総額Ｗ円を配分した額を算出する。この場合、Ａさんの負担額は、
Ｗ×（１／ａ）÷{（１／ａ）＋（１／ｂ）＋（１／ｃ）}円
と、算出する。同様に、Ｂさんの負担額は
Ｗ×（１／ｂ）÷{（１／ａ）＋（１／ｂ）＋（１／ｃ）}円
と、算出する。またＣサンの負担額は
Ｗ×（１／ｃ）÷{（１／ａ）＋（１／ｂ）＋（１／ｃ）}円
と、算出する。
【００２９】
＜実施例２＞
カラオケ装置から通知される採点成績データには、所定期間に全国で同じ曲を歌唱した人の間での採点成績のランキング順位情報が含まれている。割勘表示処理では、ランキング順位情報（楽曲ＩＤは無関係として、同一でなくてもよい）に基づいて、上位順に負担額が減るように、順位比により飲食代総額を配分する。すなわち、Ｄさんのランキングがｄ位、Ｅさんがｅ位、Ｆさんがｆ位である場合に、Ｄさん、Ｅさん、Ｆさんの負担額がランキング順位比に反比例するように、つまり、ｄ対ｅ対ｆになるように飲食代総額Ｗを配分する。この場合、
Ｄさんの負担額は、Ｗ×ｄ÷（ｄ＋ｅ＋ｆ）円、
Ｅさんの負担額は、Ｗ×ｅ÷（ｄ＋ｅ＋ｆ）円、
Ｆさんの負担額は、Ｗ×ｆ÷（ｄ＋ｅ＋ｆ）円、
として算出できる。
【００３０】
＜実施例３＞
上記実施例２における配分額を算出する方式に他方式を適用するものである。Ｄさんのランキングがｄ位、Ｅさんがｅ位、Ｆさんがｆ位であって、ｄ＜ｅ＜ｆである場合に、３人の間での相対的な順位は、１位がＤさん、２位がＥさん、３位がＦさんであることから、Ｄさん、Ｅさん、Ｆさんの配分を１対２対３になるように飲食代総額Ｗ円を配分した額を算出する。したがってＤさんの負担額は、Ｗ×１÷（１＋２＋３）＝（Ｗ／６）円、Ｅさんの負担額は同様の算出方法により、（Ｗ／３）円、Ｆさんの負担額は（Ｗ／２）となる。
【００３１】
＜実施例４＞
上記実施例２における配分方式に他方式を適用するものであり、順位ごとに飲食代総額に対する負担割合をあらかじめ規定しておく。ＰＯＳコンピュータ１やＬＡＮ５に接続された店舗の管理コンピュータなどを使用してその規定値を記述したテーブルを作成し、適宜な記憶部に管理しておき、負担額を算出する際に客室端末４の中央制御部１１がアクセスして参照できるように構成する。
【００３２】
テーブル内容は、メンバー総数と各順位の負担率とを対応付けして記述する。たとえば、メンバー総数が３人の場合には１位の負担率は２５％、２位は３０％、３位は４５％とする。同様に、メンバー総数が４人の場合には、１位は１０％、２位は２０％、３位は３０％、４位は４０％、などとして規定しておく。
【００３３】
同一順位が複数人いた場合、たとえばメンバー４人のうち１位が同点で２人だった場合には、１位、２位の負担率合計（１０％＋２０％）を２人で均等に、１５％ずつ負担する。
【００３４】
なお、上記＜実施例３＞＜実施例４＞のように、メンバー中の相対的な順位により配分する割勘方式であれば、仮に同一客室内に、ログインせずに利用したり歌唱採点ゲームに参加しなかったりして採点成績データが記録されていない利用者がメンバーに含まれている場合には、そのような利用者は最後尾の順位と位置づけて、負担額を算出できる。
【００３５】
＜実施例５＞
採点成績データの得点が０点の（または、採点ゲームに参加していない）利用者を基準として、得点した分だけ割安になるように飲食代総額Ｗ円を配分する。Ａさんの得点がａ点である場合に、得点０点の人がメンバーに含まれていると仮定した場合にその負担額と比較して、Ａさんの負担額はａ％割り引かれるように算出する。
【００３６】
同室内にはＡさんの他には、得点ｂ点のＢさん、ｃ点のＣさんがいる場合に、Ａさんの負担額は
Ｗ×（１００−ａ）÷{（１００−ａ）＋（１００−ｂ）＋（１００−ｃ）}
として算出される。同様にして
Ｂさんの負担額は、Ｗ×（１００−ｂ）÷{３×１００−（ａ＋ｂ＋ｃ）}
Ｃさんの負担額は、Ｗ×（１００−ｃ）÷{３×１００−（ａ＋ｂ＋ｃ）}
と算出される。
【００３７】
この＜実施例５＞においても、採点成績データが記録されていない利用者がメンバーに含まれている場合には、その得点を０点とみなして負担額を算出できる。
【００３８】
＝＝＝他の実施形態＝＝＝
割勘額を算出する際の基礎にする採点成績データは、上記例のような最新データに限定されない。同一利用者について、所定期間の平均値を採用してもよい。所定期間の最高値としてもよい。たとえば、カラオケ事業者による採点ゲームのランキング情報の集計期間中における最高得点や最高順位に基づいて割勘額を算出する。  
客室端末４で入室時からの採点成績データを蓄積して利用者別に逐次集計して、各利用者の平均値や最高値を採用してもよい。  
また、採点成績データを客室端末４で記憶せず、割勘表示の処理を開始した際にカラオケ装置から取り寄せる構成でもよい。
【００３９】
割勘表示をさせるタイミングは、上記例のような利用者の指示入力があった場合に限定されない。たとえば、利用者がカラオケ採点ゲームを実施した直後などに歌唱採点結果がカラオケ装置から出力され、客室端末４がその最新の採点結果を受信した際に、その時点での飲食代総額を割勘表示させてもよい。  
または、いずれかの飲食物の注文電文を送信した際に、その時点の飲食代総額と採点成績データに基づいて割勘表示させてもよい。
【００４０】
なお、電子メニュー装置と電子目次本装置とを別体のハードウェアとする構成も可能であることはいうまでもない。
【図面の簡単な説明】
【００４１】
【図１】本実施例に係るシステム構成を例示している。
【図２】本実施例に係る客室端末のハードウェア構成を例示している。
【図３】本実施例に係る客室端末のトップ画面例である。
【図４】本実施例に係る客室端末の電子目次本装置としてのトップ画面例である。
【図５】本実施例に係る客室端末の電子メニュー注文装置としてのトップ画面を例示している。
【図６】本実施例に係る割勘表示の画面例である。
【符号の説明】
【００４２】
４  客室端末
１１  中央制御部
１３  ディスプレイ
【図１】
2009086231.tif 000003
【図２】
2009086231.tif 000004
【図５】
2009086231.tif 000005
【図６】
2009086231.tif 000006
【図３】
2009086231.tif 000007
【図４】
2009086231.tif 000008